(57)【特許請求の範囲】
【請求項１】
端子が収容される端子収容室を有するハウジングと、前記ハウジングに装着されて前記端子を前記端子収容室において二重係止するフロントホルダと、を有するコネクタであって、
前記フロントホルダは、
該フロントホルダの嵌合方向に交差する方向に延びる板状のリブ部を有し、
前記ハウジングは、
前記リブ部を支持しながら収容可能な形状に窪み且つ前記リブ部が延びる方向に沿って延びる溝部と、前記溝部の延長方向に沿って突出し且つ前記フロントホルダの嵌合方向に沿って延びる山状の突起部と、を前記フロントホルダが装着される装着位置に有し、
前記ハウジングの前記装着位置の幅方向において、前記突起部の位置が、前記溝部の位置と一致しており、
前記ハウジングに前記フロントホルダが装着されるとき、
前記リブ部が前記溝部に収容されると共に、前記フロントホルダの表面に前記突起部が接触する、
コネクタ。
【請求項２】
請求項１に記載のコネクタにおいて、
前記ハウジングが、
複数の前記突起部であって、前記フロントホルダの幅方向における中央部、前記中央部よりも一の端部側の部分、及び、前記中央部よりも他の端部側の部分の三箇所に少なくとも接触するように配置された複数の前記突起部を有する、
コネクタ。
【請求項３】
請求項１又は請求項２に記載のコネクタにおいて、
前記リブ部が、
該リブ部の延長方向に直交する断面において、前記嵌合方向に長く且つ前記フロントホルダの幅方向に短い扁平形状の断面を有する、
コネクタ。
【発明の詳細な説明】
【技術分野】
【０００１】
本発明は、コネクタに関する。
【背景技術】
【０００２】
従来から、端子がコネクタの端子収容室に正常に収容されているか否か（具体的には、端子の中途挿入状態の有無）を検知し且つ正常に収容されている端子の抜け止めをより確実にするための機構を備えたコネクタが提案されている。例えば、従来のコネクタの一つ（以下「従来コネクタ」という。）は、端子収容室を有するハウジングと、ハウジングの前側からハウジングに装着されるフロントホルダと、を備える（例えば、特許文献１を参照。）。
【０００３】
従来コネクタでは、端子が端子収容室に正常に収容されていない（端子が中途挿入状態にある）場合、端子がハウジング内の片持ち梁のランスを押し出すことにより、ランスが、フロントホルダの二重係止部が挿入される空間に入り込むように撓んだ状態にある。このため、フロントホルダを本係止位置まで挿入できない。このことを利用し、端子の中途挿入状態の有無を検知するようになっている。
【０００４】
更に、従来コネクタでは、端子が端子収容室に正常に収容され且つフロントホルダが本係止位置に装着されている状態では、フロントホルダの二重係止部がランスを端子側に押し込む。このため、ランスが端子を係止し、且つ、フロントホルダの二重係止部がランスを（抜け止め機能を発揮する正常位置に）係止する二重係止の状態が得られる。この二重係止により、端子収容室に正常に収容されている端子の抜け止めがより確実になされるようになっている。
【先行技術文献】
【特許文献】
【０００５】
【特許文献１】特開２０１１−１０８５７６号公報
【発明の概要】
【発明が解決しようとする課題】
【０００６】
ところで、従来コネクタでは、フロントホルダがハウジングの本係止位置に装着された状態において、フロントホルダとハウジングとの間には一定の隙間がある。このため、フロントホルダのハウジングに対する位置ずれ（以下、単に「フロントホルダの位置ずれ」という。）に起因し、フロントホルダのがたつき等が生じる場合がある。
【０００７】
フロントホルダの位置ずれが生じると、場合によっては、フロントホルダによるランスの係止（即ち、二重係止）が解除されることにより、ランスによる端子の係止も意図せず解除されてしまう可能性がある。その場合、ハウジング内にて端子にも位置ずれが生じ、この結果、コネクタ間の電気的接続が不十分となる可能性がある。よって、電気的接続の信頼性の観点から、フロントホルダの位置ずれを出来る限り防ぐことが好ましい。
【０００８】
本発明は、上述した事情に鑑みてなされたものであり、その目的は、フロントホルダの位置ずれを出来る限り防止できるコネクタを提供することにある。
【課題を解決するための手段】
【０００９】
前述した目的を達成するために、本発明に係るコネクタは、下記（１）〜（３）を特徴としている。
（１）
端子が収容される端子収容室を有するハウジングと、前記ハウジングに装着されて前記端子を前記端子収容室において二重係止するフロントホルダと、を有するコネクタであって、
前記フロントホルダは、
該フロントホルダの嵌合方向に交差する方向に延びる板状のリブ部を有し、
前記ハウジングは、
前記リブ部を支持しながら収容可能な形状に窪み且つ前記リブ部が延びる方向に沿って延びる溝部と、前記溝部の延長方向に沿って突出し且つ前記フロントホルダの嵌合方向に沿って延びる山状の突起部と、を前記フロントホルダが装着される装着位置に有し、
前記ハウジングの前記装着位置の幅方向において、前記突起部の位置が、前記溝部の位置と一致しており、
前記ハウジングに前記フロントホルダが装着されるとき、
前記リブ部が前記溝部に収容されると共に、前記フロントホルダの表面に前記突起部が接触する、
コネクタであること。
（２）
上記（１）に記載のコネクタにおいて、
前記ハウジングが、
複数の前記突起部であって、前記フロントホルダの幅方向における中央部、前記中央部よりも一の端部側の部分、及び、前記中央部よりも他の端部側の部分の三箇所に少なくとも接触するように配置された複数の前記突起部を有する、
コネクタであること。
（３）
上記（１）又は上記（２）に記載のコネクタにおいて、
前記リブ部が、
該リブ部の延長方向に直交する断面において、前記嵌合方向に長く且つ前記フロントホルダの幅方向に短い扁平形状の断面を有する、
コネクタであること。
【００１０】
上記（１）の構成のコネクタによれば、フロントホルダがハウジングに装着された状態にて、フロントホルダのリブ部がハウジングの溝部に収容され且つ支持される。これにより、リブ部の延長方向に交差する方向（例えば、リブ部がハウジングの高さ方向に延びていれば、ハウジングの幅方向）におけるハウジングの移動、及び、リブ部の軸を傾けるようなハウジングの捻れが抑制される。
【００１１】
更に、フロントホルダがハウジングに装着された状態にて、ハウジングの突起部がフロントホルダの表面に接触する。これにより、溝部の延長方向（リブ部の延長方向と同じ。例えば、リブ部がハウジングの高さ方向に延びていれば、ハウジングの高さ方向）におけるハウジングの移動、及び、嵌合方法にハウジングを傾けるようなハウジングの捻れが抑制される。なお、フロントホルダの前後方向（嵌合方向）の移動は、相手側コネクタに設けられたフロントホルダと、本コネクタのフロントホルダと、が接触することによって防がれる。
【００１２】
その結果、本構成のコネクタは、従来コネクタに比べ、ハウジングの移動および捻れを抑制できる。したがって、本構成のコネクタは、フロントホルダの位置ずれを出来る限り防止できる。
【００１３】
上記（２）の構成のコネクタによれば、フロントホルダがハウジングに装着された状態にて、ハウジングに設けられた複数の突起部が、フロントホルダの幅方向の中央部及びその両側に接触する。そのため、上述したリブ部による捻れの抑制に加え、複数の突起部によってもハウジングの捻れが抑制される。よって、本構成のコネクタは、フロントホルダの位置ずれを更に確実に防止できる。
【００１４】
上記（３）の構成のコネクタによれば、リブ部の断面が扁平形状であるため、リブ部の軸周りに回転するようなフロントホルダの捻れがより確実に防がれる。よって、フロントホルダの位置ずれを更に確実に防止できる。
【発明の効果】
【００１５】
本発明によれば、フロントホルダの位置ずれを出来る限り防止できるコネクタを提供できる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】図１は、本発明の実施形態にコネクタの概略斜視図である。
【図２】図２は、図１に示すメスハウジングにメス側フロントホルダを装着する状態を表し、図２（ａ）はフロントホルダが挿入途中にある状態（「仮」係止位置にある状態）を表し、図２（ｂ）はフロントホルダが完全に挿入された状態（「本」係止位置にある状態）を示す図である。
【図３】図３は、図１に示すメスハウジングを前側から見た場合の図である。
【図４】図４は、図１に示すメスハウジングにメス側フロントホルダが挿入される途中の状態（図２（ａ）の状態）での断面図を表し、図４（ａ）はＡ−Ａ断面図であり、図４（ｂ）はＢ−Ｂ断面図である。
【図５】図５は、図１に示すメスハウジングにメス側フロントホルダが完全に挿入された状態（図２（ｂ）の状態）での断面図を表し、図５（ａ）はＡ−Ａ断面図であり、図５（ｂ）はＢ−Ｂ断面図である。
【図６】図６は、図１に示すオスハウジングを前側から見た場合の図である。
【図７】図７は、図１に示すオスハウジングの断面図を表し、図７（ａ）はオス側フロントホルダが挿入される途中の状態でのＣ−Ｃ断面図であり、図７（ｂ）はオス側フロントホルダが完全に挿入された状態でのＣ−Ｃ断面図である。
【図８】図８は、図１に示すオスハウジングを斜め後方から見た場合の斜視図である。
【図９】図９は、図１に示すメス側フロントホルダを表し、図９（ａ）はメス側フロントホルダの斜視図であり、図９（ｂ）はＤ−Ｄ断面図である。
【図１０】図１０は、図１に示すメスハウジングを表し、図１０（ａ）はメスハウジングの斜視図であり、図１０（ｂ）はＥ−Ｅ断面図である。
【図１１】図１１は、図１に示すメスハウジングを斜め下方から見た場合の斜視図である。
【図１２】図１２は、図１に示すメスハウジングが有する突起部を説明するための図であり、図１２（ａ）はメスハウジングの前側から見た場合の図であり、図１２（ｂ）は突起部周辺の領域Ｆの拡大図であり、図１２（ｃ）はＧ−Ｇ断面図である。
【図１３】図１３は、図１に示すメスハウジングにメス側フロントホルダを装着する状態を表し、図１３（ａ）はメス側フロントホルダが挿入される途中の状態を示す図であり、図１３（ｂ）はメス側フロントホルダが完全に挿入された状態を示す図である。
【図１４】図１４（ａ）は、図１に示すオス側フロントホルダ及びメス側フロントホルダが、オスハウジング及びメスハウジングの嵌合時（コネクタ嵌合時）にて互いに接近して向かい合う状態を示し、図１４（ｂ）はメス側フロントホルダの上面図及び下面図である。
【図１５】図１５は、図１に示すオスハウジングとメスハウジングとが嵌合した状態を表す模式図である。
【図１６】図１６は、図１に示すオスハウジングが有するガイド溝を説明するための図であり、図１６（ａ）はオスハウジングを斜め前方から見た斜視図であり、図１６（ｂ）はガイド溝の最深部周辺の領域Ｈの拡大図である。
【図１７】図１７は、図１に示すオスハウジングに装着されたオス側フロントホルダを取り外す工程を説明するための図であり、図１７（ａ）はオスハウジングの正面図であり、図１７（ｂ）はＩ−Ｉ断面図において取り外し治具がガイド溝に沿って挿入される状態を表し、図１７（ｃ）はＩ−Ｉ断面図において取り外し治具をフロントホルダに引っ掛けて引き出す状態を表す。
【発明を実施するための形態】
【００１８】
以下、図面を参照しながら、本発明の実施形態に係るコネクタについて説明する。なお、以下に述べる全図において、各部材の説明を容易にする等の理由から、端子、及び、端子から延びる電線の記載が省略されている。
【００１９】
（全体構成）
図１に示すように、本発明の実施形態に係るコネクタは、メスハウジング１０と、メス側フロントホルダ（以下、単に「フロントホルダ」と呼ぶ。）２０と、オスハウジング３０と、オス側フロントホルダ（以下、単に「フロントホルダ」と呼ぶ。）４０と、から構成される。以下、図１に示すように、「嵌合方向」、「幅方向」、「上下方向」、「前」、「後」、「上」、「下」を定義する。「嵌合方向」、「幅方向」、及び「上下方向」は、互いに直交する方向である。
【００２０】
メスハウジング１０の内部には、複数（本例では、幅方向に６つ、上下方向に２つで計１２個）の端子収容室１１が嵌合方向に沿って形成されている。メスハウジング１０には、複数本の電線の端部にそれぞれ接続された複数（本例では、１２個）のメス端子が、後側から対応する端子収容室１１にそれぞれ挿入され、その後、前側からフロントホルダ２０が装着される。
【００２１】
フロントホルダ２０は、幅方向両端部にて後側に向けて突出する一対のアーム２１と、複数の端子収容室１１のそれぞれに対応する位置にて後側に向けて突出する複数（本例では、１２個）の平板状の二重係止部２２とを備える。後述するように、一対のアーム２１、及び、複数の二重係止部２２は、メス端子が端子収容室１１に正常に収容されているか否か（具体的には、メス端子の中途挿入状態の有無）を検知する機能、並びに、正常に収容されているメス端子の抜け止めをより確実にする機能を有する。
【００２２】
オスハウジング３０の内部には、メスハウジング１０と同様、複数（本例では、幅方向に６つ、上下方向に２つで計１２個）の端子収容室３１が嵌合方向に沿って形成されている。オスハウジング３０には、複数本の電線の端部にそれぞれ接続された複数（本例では、１２個）のオス端子が、後側から対応する端子収容室３１にそれぞれ挿入され、その後、前側からフロントホルダ４０が装着される。オス端子の先端部（タップ部）を保護する等のため、オスハウジング３０の前側には、オス端子の先端部を囲む筒状の囲み部（ホロー部）３２が一体的に設けられている。
【００２３】
フロントホルダ４０は、フロントホルダ２０と実質的に同じ形状を有する。即ち、フロントホルダ４０は、幅方向両端部にて後側に向けて突出する一対のアーム４１と、複数の端子収容室３１のそれぞれに対応する位置にて後側に向けて突出する複数（本例では、１２個）の平板状の二重係止部４２とを備える。一対のアーム４１、及び、複数の二重係止部４２は、オス端子が端子収容室３１に正常に収容されているか否か（具体的には、オス端子の中途挿入状態の有無）を検知する機能、並びに、正常に収容されているオス端子の抜け止めをより確実にする機能を有する。
【００２４】
このように、フロントホルダ２０とフロントホルダ４０とは、実質的に同じ形状を有する（より詳細な形状については、後述される。例えば、図９及び図１４を参照。）。そのため、フロントホルダ２０は、フロントホルダ４０の代わりとして、オスハウジング３０に取り付けることが可能である。逆に、フロントホルダ４０は、フロントホルダ２０の代わりとして、メスハウジング１０に取り付けることが可能である。即ち、フロントホルダ２０及びフロントホルダ４０を共用することが可能である。
【００２５】
図２（ａ）及び図２（ｂ）に示すように、フロントホルダ２０は、前側からメスハウジング１０に挿入され、図２（ａ）に示す「仮」係止位置（フロントホルダ２０が挿入途中にある状態）を経て、図２（ｂ）に示す「本」係止位置（フロントホルダ２０が完全に挿入された状態）まで挿入される。
【００２６】
フロントホルダ２０が図２（ａ）に示す「仮」係止位置にある状態では、図４（ａ）（図３のＡ−Ａ断面）に示すように、アーム２１に設けられた突起２１ａ（図９も参照。）がメスハウジング１０に設けられた突起１２を乗り越えている一方で、アーム２１に設けられた突起２１ｂ（図９も参照。）がメスハウジング１０に設けられた突起１３を乗り越えていない。よって、フロントホルダ２０は、外力が作用しない限り、「仮」係止位置に維持され得る。
【００２７】
また、フロントホルダ２０が「仮」係止位置にある状態では、図４（ｂ）（図３のＢ−Ｂ断面）に示すように、二重係止部２２が、メスハウジング１０に設けられたランス１４の位置まで到達していない。ランス１４は、各端子収容室１１に対応してそれぞれ設けられている。
【００２８】
ランス１４は、前側且つ斜め上方に向けて延びる係止片であり、ランス１４の先端部は、端子収容室１１の下面に形成された開口部から端子収容室１１の内部に進入している。メス端子が端子収容室１１に正常に収容されている状態では、ランス１４の先端部が端子収容室１１に収容されているメス端子の係止部を係止することによって、メス端子の抜け止めがなされる。
【００２９】
一方、メス端子が端子収容室１１に正常に収容されていない状態（メス端子の中途挿入状態）では、メス端子がランス１４を下方に押し出すことで、ランス１４が、二重係止部２２が挿入される空間に入り込む位置まで撓んだ状態にある。このため、フロントホルダ２０が「本」係止位置まで挿入できなくなる。このことを利用して、メス端子の中途挿入状態の有無を検知することができる。
【００３０】
フロントホルダ２０が図２（ｂ）に示す「本」係止位置にある状態（且つ、メス端子が端子収容室１１に正常に収容されている状態）では、図５（ａ）（図３のＡ−Ａ断面）に示すように、突起２１ｂが突起１３を乗り越えている。また、図５（ｂ）（図３のＢ−Ｂ断面）に示すように、二重係止部２２がランス１４の下側の空間に入り込んでランス１４をメス端子側（上側）に押し込む。このため、ランス１４がメス端子を係止し、且つ、二重係止部２２がランス１４を（抜け止め機能を発揮する正常位置に）係止する所謂二重係止の状態が得られる。この二重係止により、端子収容室１１に正常に収容されているメス端子の抜け止めがより確実になされる。
【００３１】
このように、フロントホルダ２０が「本」係止位置にある状態では、フロントホルダ２０は、外力が作用しない限り、「本」係止位置に維持され得る。
【００３２】
フロントホルダ２０と同様、フロントホルダ４０も、図示は省略するが、前側からオスハウジング３０に挿入され、「仮」係止位置（フロントホルダ４０が挿入途中にある状態）を経て、「本」係止位置（フロントホルダ４０が完全に挿入された状態）まで挿入される。
【００３３】
フロントホルダ４０が「仮」係止位置にある状態では、図７（ａ）（図６のＣ−Ｃ断面）に示すように、アーム４１に設けられた突起４１ａがオスハウジング３０に設けられた突起３３を乗り越えている一方で、アーム４１に設けられた突起４１ｂがオスハウジング３０に設けられた突起３４を乗り越えていない。よって、フロントホルダ４０は、外力が作用しない限り、「仮」係止位置に維持される。また、図示は省略するが、二重係止部４２が、オスハウジング３０に設けられたランスの位置まで到達していない。
【００３４】
一方、フロントホルダ４０が「本」係止位置にある状態（且つ、オス端子が端子収容室３１に正常に収容されている状態）では、図７（ｂ）（図６のＣ−Ｃ断面）に示すように、突起４１ｂが突起３４を乗り越えている。また、図示は省略するが、二重係止部４２がランスの下側の空間に入り込んでランスをオス端子側（上側）に押し込む。よって、フロントホルダ４０は、外力が作用しない限り、「本」係止位置に維持され得る。
【００３５】
オスハウジング３０に設けられたランスとフロントホルダ４０の二重係止部４２との協働によっても、メスハウジング１０に設けられたランス１４とフロントホルダ２０の二重係止部２２の場合と同様、オス端子の中途挿入状態の有無を検知することができ、且つ、二重係止により、端子収容室３１に正常に収容されているオス端子の抜け止めがより確実になされる。
【００３６】
また、図８に示すように、フロントホルダ４０が「本」係止位置にある状態では、フロントホルダ４０のアーム４１の先端部分のみが、オスハウジング３０に装着されたカバー３５の傾斜した端面から露呈している。よって、アーム４１を押し出すことによってオスハウジング３０からフロントホルダ４０を分離する際、アーム４１を押し出す作業が容易になる。一方、そのような分離を行わない場合（例えば、通常の使用時）には、作業者の手などが意図せずにアーム４１に接触してしまうことが防止される。
【００３７】
（フロントホルダ、並びに、ハウジングのフロントホルダ装着位置の詳細形状）
次いで、フロントホルダ２０、及び、メスハウジング１０のフロントホルダ装着位置の詳細形状について説明する。
【００３８】
図９に示すように、フロントホルダ２０は、断面四角状の枠体部２６の内部にて、枠体部２６の上壁及び下壁を上下方向に連結する複数本（本例では、５本）の板状のリブ２３が設けられている。換言すると、各リブ２３は、フロントホルダ２０の嵌合方向に交差する方向に延びている。各リブ２３は、幅方向において、複数（本例では、６個）の端子収容室１１における隣接する端子収容室１１の間に対応する位置にそれぞれ設けられている。図９（ｂ）（図９（ａ）のＤ−Ｄ断面）に示すように、各リブ２３の延長方向（上下方向）に直交する断面（嵌合方向及び幅方向に平行な平面に沿う断面）は、嵌合方向に長く且つ幅方向に短い扁平形状を有している。なお、上述した一対のアーム２１は枠体部２６の幅方向両側壁から、上述した複数の二重係止部２２は枠体部２６の上下壁から、それぞれ、後側に向けて突出している。
【００３９】
また、フロントホルダ２０の前端面（より具体的には、枠体部２６の上下壁の前面）は、凸部２４と凹部２５とにより段違いに形成されている。本例では、枠体部２６の上壁前面には幅方向一方側及び他方側に凸部２４及び凹部２５がそれぞれ形成され、枠体部２６の下壁前面には幅方向一方側及び他方側に凹部２５及び凸部２４がそれぞれ形成されている。なお、フロントホルダ４０も、フロントホルダ２０と実質的に同じ形状を有している（図１４も参照。）。
【００４０】
図１０に示すように、メスハウジング１０の前側端部は、フロントホルダ装着位置１５となっている。図１０（ｂ）に示すように、このフロントホルダ装着位置１５には、上下方向に延び且つ前側に開口する溝部１６が、幅方向において、複数本（本例では、５本）のリブ２３の位置に対応する複数（本例では、５つ）の位置にそれぞれ設けられている。換言すると、各溝部１６は、上述した各リブ部２３を支持しながら収容可能な形状に窪み且つ各リブ部２３が延びる方向に沿って延びている。
【００４１】
フロントホルダ２０が「本」係止位置までメスハウジング１０に装着された状態では、フロントホルダ２０の各リブ２３が、対応する溝部１６にそれぞれ挿入・支持される。これにより、フロントホルダ２０の幅方向の移動及び捻れが抑制され得る。
【００４２】
図１１に示すように、メスハウジング１０のフロントホルダ装着位置１５の上面には、下方（溝部１６の延長方向）に突出しフロントホルダ２０の嵌合方向に延びる山状の突起部１７が形成されている。本例では、突起部１７は、幅方向における３箇所にそれぞれ形成されている。
【００４３】
フロントホルダ２０が「本」係止位置までメスハウジング１０に装着された状態では、図１２に示すように、これら３つの突起部１７が、フロントホルダ２０の枠体部２６の上壁の上面における幅方向中央部、中央部より幅方向一方側の部分、及び、中央部より幅方向他方側の部分の３箇所に、それぞれ接触する。これにより、フロントホルダ２０の上下方向の移動及び捻れが抑制され得る。
【００４４】
図１３に示すように、フロントホルダ２０が「本」係止位置までメスハウジング１０に装着された状態では、フロントホルダ２０の前端面の凸部２４（図９も参照）が、メスハウジング１０の前端面から突出している。これにより、以下の作用・効果が奏され得る。
【００４５】
即ち、メス端子が中途挿入状態にある場合、上述のように、ランス１４が下方に撓むため、フロントホルダ２０が「仮」係止位置から「本」係止位置へ移動できない。この結果、通常、フロントホルダ２０の前端面がメスハウジング１０の前端面から突出した状態となる。
【００４６】
しかしながら、メスハウジング１０、及びフロントホルダ２０の寸法精度などのばらつきに起因し、メス端子が中途挿入状態にあっても、フロントホルダ２０が「本」係止位置に近い位置にまで移動し得る場合がある。この場合、メス端子が中途挿入状態にあるにもかかわらず、外観上、フロントホルダ２０の前端面がメスハウジング１０の前端面から突出していないように見える可能性が発生し得る。この結果、作業者がメス端子の中途挿入状態に気付かない可能性がある。
【００４７】
この点、フロントホルダ２０の前端面は、凸部２４と凹部２５とにより段違いに形成されている。このため、フロントホルダ２０が「本」係止位置に近い位置にまで移動した場合であっても、フロントホルダの前端面が平坦の場合と比べて、フロントホルダ２０の前方への突出が目立つ。この結果、作業者がメス端子の中途挿入状態に気付き易くなる。
【００４８】
以上、フロントホルダ２０、及び、メスハウジング１０の詳細形状について説明した。フロントホルダ４０においても、フロントホルダ２０のリブ２３、凸部２４、及び凹部２５に相当するリブ、凸部４３、及び凹部４４が形成されている（図１４も参照。）。加えて、オスハウジング３０においても、図示は省略するが、メスハウジング１０の溝部１６、及び突起部１７に相当する溝、及び突起部が形成されている。
【００４９】
よって、フロントホルダ４０、及びオスハウジング３０の関係においても、フロントホルダ２０、及びメスハウジング１０の関係と同様、上述したように、フロントホルダ４０の幅方向の移動及び捻れ、並びに、フロントホルダ４０の上下方向の移動及び捻れが抑制され得る。また、オス端子が中途挿入状態にある場合、フロントホルダ４０の前方への突出が目立つので、作業者がオス端子の中途挿入状態に気付き易くなる。
【００５０】
上述したように、フロントホルダ４０も、フロントホルダ２０と実質的に同じ形状を有している。よって、図１４に示すように、フロントホルダ４０の前端面も、フロントホルダ２０と同様、凸部４３と凹部４４とにより段違いに形成されている。
【００５１】
図１５に示すように、メスハウジング１０、及び、オスハウジング３０の嵌合完了状態（コネクタ嵌合完了状態）にて、フロントホルダ２０、及びフロントホルダ４０の双方の前端面が接触する。この状態では、フロントホルダ２０側の凸部２４及び凹部２５が、フロントホルダ４０側の凹部４４及び凸部４３とそれぞれ接触する。
【００５２】
ここで、フロントホルダの前端面に単純な凸部を設けた場合、フロントホルダの嵌合方向の長さが大きくなり、ひいてはコネクタ（＝メスハウジング＋オスハウジング）の全長が長くなる。これに対し、フロントホルダ２０、及びフロントホルダ４０の双方の前端面には段違いの凸部と凹部とが設けられ、メスハウジング１０とオスハウジング３０との嵌合完了時に、それぞれのフロントホルダの凸部と凹部同士が接触する。よって、フロントホルダの前端面に凸部を設けても、コネクタの大型化を抑制することができる。
【００５３】
更に、上述したように、フロントホルダ２０とフロントホルダ４０とは、実質的に同じ形状を有するため、共用することが可能である。その結果、フロントホルダ２０とフロントホルダ４０とを共用できない場合（両者の形状が異なる場合）に比べ、コネクタの部品点数を低減できることにより、コネクタの製造時における部品管理などが容易になる。加えて、フロントホルダ２０，４０の各々について個別の（異なる）製造用金型などを準備する必要がないため、フロントホルダ２０，４０の製造コストを低減でき、ひいてはコネクタの製造コストを低減できる。
【００５４】
（オスハウジングからのフロントホルダの取り外しの容易化）
次いで、オスハウジング３０からのフロントホルダ４０の取り外しの容易化について説明する。
【００５５】
図１６に示すように、オスハウジング３０には、オス端子（図示省略）の先端部を囲む筒状の囲み部３２が一体的に設けられている。この囲み部３２の存在が、オスハウジング３０に装着されたフロントホルダ４０をオスハウジング３０から取り外し難くしている。
【００５６】
この点、図１６に示すように、オスハウジング３０の囲み部３２の内壁の下面には、フロントホルダ取り外し用のガイド溝３６が嵌合方向に沿って形成されている。図１６（ｂ）（図１６（ａ）のＨ部拡大図）に示すように、このガイド溝３６の最も奥側（後側）の部分には、囲み部３２の内壁の下面から上向き（即ち、フロントホルダ４０に近付く向き）に傾いた傾斜部３７が設けられている。なお、図１６（ｂ）では、便宜上、フロントホルダ４０の記載が省略されている。
【００５７】
図１７に示すように、オスハウジング３０に装着されたフロントホルダ４０をオスハウジング３０から取り外す場合、先端部が湾曲した棒状のフロントホルダ分離ロッド５０が使用される。即ち、まず、図１７（ｂ）に示すように、フロントホルダ分離ロッド５０を、その先端部が上方に湾曲する向きに維持しながら、ガイド溝３６に沿ってフロントホルダ４０に向けて滑らせるように挿入する。フロントホルダ分離ロッド５０がガイド溝３６の奥側の傾斜部３７に到達すると、フロントホルダ分離ロッド５０が、傾斜部３７に案内されてフロントホルダ４０の下面に近付く。
【００５８】
そして、図１７（ｃ）に示すように、フロントホルダ分離ロッド５０をフロントホルダ４０の所定箇所に引っ掛けて手前側（前側）に引き出すことにより、フロントホルダ４０を取り外すことができる。この結果、オスハウジング３０のように囲み部３２の開口から離れた奥まった位置にフロントホルダ４０が装着されていても、フロントホルダ４０を容易に取り外すことができる。
【００５９】
（作用・効果）
本発明の実施形態に係るコネクタによれば、フロントホルダ２０がハウジング１０に装着された状態にて、フロントホルダ２０のリブ２３がハウジング１０の溝部１６に収容される。これにより、フロントホルダ２０の幅方向の移動及び捻れが抑制され得る。加えて、ハウジング１０の突起部１７がフロントホルダ２０の上面に接触する。これにより、フロントホルダ２０の上下方向の移動が抑制され得る。
【００６０】
また、フロントホルダ２０がハウジング１０に装着された状態にて、ハウジング１０の複数の突起部１７が、フロントホルダ２０の幅方向の中央部及びその両側に接触する。このため、フロントホルダ２０の上下方向の捻れが防がれる。
【００６１】
加えて、リブ２３の断面が扁平形状であるため、フロントホルダ２０の幅方向の捻れがより確実に防がれる。以上より、本発明の実施形態に係るコネクタによれば、フロントホルダ２０の位置ずれを出来る限り防止できる。
【００６２】
更に、フロントホルダ２０，４０が実質的に同じ形状を有するため、フロントホルダ２０，４０を共用することが可能である。よって、コネクタの部品点数を低減できることにより、コネクタの製造時における部品管理などが容易になる。更に、一対のフロントホルダの製造コストを低減でき、ひいてはコネクタの製造コストを低減できる。
【００６３】
（他の態様）
なお、本発明は上記実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６４】
例えば、上記実施形態では、メス端子が挿入されるメスハウジング１０とフロントホルダ２０との組み合わせ、及び、オス端子が挿入されるオスハウジング３０とフロントホルダ４０との組み合わせ、の双方について、本発明に係る構成（リブ２３と溝部１６との係合、突起部１７の接触）が採用されている。これに対し、メス端子が挿入されるメスハウジングとメス側フロントホルダとの組み合わせ、及び、オス端子が挿入されるオスハウジングとオス側フロントホルダとの組み合わせ、の何れか一方についてのみ、この構成が採用されていてもよい。
【００６５】
更に、フロントホルダ２０及びメスハウジング１０の幅方向における複数箇所においてリブ２３及び溝部１６がそれぞれ設けられているが、フロントホルダ２０及びメスハウジング１０の幅方向における１箇所のみにリブ２３及び溝部１６が設けられていてもよい。同様に、メスハウジング１０の幅方向における複数箇所において突起部１７がそれぞれ設けられているが、メスハウジング１０の幅方向における１箇所のみに突起部１７が設けられていてもよい。
【００６６】
また、リブ２３は、その延長方向に直交する断面において、嵌合方向に長く且つ幅方向に短い扁平形状の断面を有しているが、嵌合方向に短く且つ幅方向に長い扁平形状の断面を有していてもよい。
【００６７】
ここで、上述した本発明に係るコネクタの実施形態の特徴をそれぞれ以下（１）〜（３）に簡潔に纏めて列記する。
（１）
端子が収容される端子収容室（１１）を有するハウジング（１０，３０）と、前記ハウジングに装着されて前記端子を前記端子収容室において二重係止するフロントホルダ（２０，４０）と、を有するコネクタであって、
前記フロントホルダ（２０，４０）は、
該フロントホルダの嵌合方向に交差する方向に延びる板状のリブ部（２３）を有し、
前記ハウジング（１０，３０）は、
前記リブ部（２３）を支持しながら収容可能な形状に窪み且つ前記リブ部が延びる方向に沿って延びる溝部（１６）と、前記溝部の延長方向に沿って突出し且つ前記フロントホルダの嵌合方向に沿って延びる山状の突起部（１７）とを前記フロントホルダが装着される装着位置（１５）に有し、
前記ハウジングに前記フロントホルダが装着されるとき、
前記リブ部（２３）が前記溝部（１６）に収容されると共に、前記フロントホルダの表面（２６）に前記突起部（１７）が接触する、
コネクタ。
（２）
上記（１）に記載のコネクタにおいて、
前記ハウジング（１０，３０）が、
複数の前記突起部（１７）であって、前記フロントホルダの幅方向における中央部、前記中央部よりも一の端部側の部分、及び、前記中央部よりも他の端部側の部分の三箇所に少なくとも接触するように配置された複数の前記突起部（１７）を有する（図１１）、
コネクタ。
（３）
上記（１）又は上記（２）に記載のコネクタにおいて、
前記リブ部（２３）が、
該リブ部の延長方向に直交する断面において、前記嵌合方向に長く且つ前記フロントホルダの幅方向に短い扁平形状の断面を有する（図９ｂ）、
コネクタ。
【符号の説明】
【００６８】
１０  メスハウジング（ハウジング）
１１  端子収容室
１５  フロントホルダの装着位置
１６  溝部
１７  突起部
２０  メス側フロントホルダ（フロントホルダ）
２３  リブ（リブ部）
３０  オスハウジング（ハウジング）
３１  端子収容室
４０  オス側フロントホルダ（フロントホルダ）
【図１】
0006402125.tif 000002
【図２】
0006402125.tif 000003
【図３】
0006402125.tif 000004
【図４】
0006402125.tif 000005
【図５】
0006402125.tif 000006
【図６】
0006402125.tif 000007
【図７】
0006402125.tif 000008
【図８】
0006402125.tif 000009
【図９】
0006402125.tif 000010
【図１０】
0006402125.tif 000011
【図１１】
0006402125.tif 000012
【図１２】
0006402125.tif 000013
【図１３】
0006402125.tif 000014
【図１４】
0006402125.tif 000015
【図１５】
0006402125.tif 000016
【図１６】
0006402125.tif 000017
【図１７】
0006402125.tif 000018